(57)【要約】【課題】放送番組やＣＭの制作過程である編集やＭＡ作業において、所要のラウドネス値となるように全体音量を仕上げることが求められているが、その為、仕上げた結果が所要のラウドネス目標値の許容範囲を逸脱した場合には、再度、番組冒頭部分から尻部分まで作業のやり直し修正をしなければならない。【解決手段】本発明は、ラウドネス測定対象となる音声信号と、それに同期するタイムコードを同時に記録してタイムコード順の時間列で音量履歴を計測するラウドネスメータであり、これにより、最終仕上げ作業の前に、それまでのミキシング作業終了時点での番組全体のラウドネス値を算出することができ、その算出値と目標値との差をオフセット値として最終仕上げを行なうことで、音量の変化やバランスを保ったまま、理論上、仕上がりのラウドネス値を目標値に一致させることが、一回のみの作業でできる。【選択図】図５
2013178216.tif 000002
【特許請求の範囲】
【請求項１】
ラウドネス測定対象となる音声信号と、音声信号に同期するタイムコードを同時記録し、かつ、そのタイムコード順の時間列で履歴記録できるラウドネスメータ。
【請求項２】
過去に入力されたタイムコード範囲の一部分と同じタイムコード範囲が再び入力された場合には、最新のタイムコードに同期した音声信号でそのタイムコード重複範囲の履歴を更新するラウドネスメータ。
【発明の詳細な説明】
【技術分野】
【０００１】  本発明は、放送番組等の平均音量を示す「ラウドネス」の計測に関する。
【背景技術】
【０００２】  放送番組やＣＭ等の平均音量を示す数値として「ラウドネス」があり、それを計る計測器として、「ラウドネスメータ」がある。
【先行技術文献】
【０００３】
【非特許文献】
【非特許文献】  電波産業会  ＡＲＩＢ  ＴＲ−Ｂ３２
【０００４】  これまでのラウドネスメータはリアルタイム（実時間）計測を行なうものであり、時刻Ａから時刻Ｂの間にラウドネスメータに入力された音声信号の実時間列での音量履歴を計測して、ラウドネス値を算出するものであった。
【発明の概要】
【発明が解決しようとする課題】
【０００５】  放送番組やＣＭの制作過程である編集やＭＡ作業など仕上げ作業において、所要のラウドネス値となるように全体音量を仕上げることが求められているが、その為、仕上げた結果が所要のラウドネス目標値の許容範囲を逸脱した場合には、再度、番組冒頭部分から尻部分まで作業のやり直し修正をしなければならない。
【課題を解決するための手段】
【０００６】  本発明は、ラウドネス測定対象となる音声信号と、それに同期するタイムコードを同時に記録してタイムコード順の時間列で音量履歴を計測するラウドネスメータであり、これにより、最終仕上げ作業の前に、それまでのミキシング作業終了時点での番組全体のラウドネス値を算出することができ、その算出値と目標値との差をオフセット値として最終仕上げを行なうことで、理論上、仕上がりのラウドネス値を目標値に一致させることが、一回のみの作業でできる。
【発明の効果】
【０００７】  これにより、放送番組やＣＭの制作過程でラウドネス値の許容範囲を逸脱した場合の修正作業が不要になる。
【図面の簡単な説明】
【０００８】
【図１】従来のラウドネスメータ使用によるＭＡ作業のブロック図の一例
【図２】従来のラウドネスメータ使用によるＭＡ作業工程のフローチャート
【図３】本発明のラウドネスメータ使用によるＭＡ作業工程のフローチャート
【図４】従来のラウドネスメータ動作の説明図
【図５】本発明によるラウドネスメータ動作の説明図
【図６】本発明のラウドネスメータ使用によるＭＡ作業のブロック図の一例
【発明を実施するための形態】
【０００９】  以下、本発明の実施の形態を図１〜図６に基づいて説明する。
【００１０】  例えば通常のＭＡ作業では、図１に示されるように、使用されるミキシングアンプ２はタイムコード４に連動するフェーダ位置記憶による音量再現機能を有しており、図２に示す作業フローチャートの「ミキシングによる音量調整」作業７の完了後、ＶＴＲ等の音声トラックに最終仕上げの完成音を録音していく「音戻し」作業９を行なって番組ＶＴＲが完成する。
【００１１】  この場合、従来の実時間型ラウドネスメータ３による計測では、番組冒頭から尻までを一度も停止せずに連続再生することで、正確なラウドネス値が計測できるので、音戻し作業９と同時にラウドネス計測８を行ない、その結果、測定値が目標値の許容範囲を逸脱した場合には、１１により再度、ミキシングによる音量調整作業７からやり直して、修正を行なう必要がある。
【００１２】  しかし、音戻し前の時点、すなわち、ミキシングによる音量調整作業７の完了時点で、それまでの作業による番組全体のラウドネス測定値がもし判かるならば、図３に示す作業フローチャートのようにして、その測定値と目標値の差をオフセット値としてミキシングアンプ２のマスターフェーダ５等に反映させることで、その後の音戻し作業１８で完成番組のラウドネス値を目標値に、理論上、一致させることができる。
【００１３】  ところが、ミキシングによる音量調整作業１５は、部分的な音量修正のために巻き戻しや早送りをして、同じ部分が２度、３度と再生されることが多い。
【００１４】  この場合、重複再生された部分は、最後に再生された部分の音量履歴のみが、番組全体の完成音として有効であるべきである。
【００１５】  しかし、ミキシングによる音量調整作業１５全体を、従来の実時間履歴のラウドネスメータで計測した場合、巻き戻しをして２度目、３度目に再生された部分の音声は、一部分が重複して再生されるので、計３回の再生の合計として算出されてしまい、本来の番組全体の正確なラウドネス値と違った測定値になってしまう。
【００１６】  例えば、判りやすく説明する為、内容が一定音量の６０秒番組素材を、番組冒頭２２のタイムコードＴＣ＝０秒から、番組尻２８のタイムコードＴＣ＝６０秒の間で、ミキシングによる音量調整１５をする場合、
２３  ＴＣ＝０秒〜３０秒の３０秒間を中音量で再生し、
次に、
２４  ＴＣ＝３０秒からＴＣ＝２０秒へ巻き戻しし、
次に、
２５  ＴＣ＝２０秒〜ＴＣ＝５０秒の３０秒間を小音量で再生し、
次に、
２６  ＴＣ＝５０秒からＴＣ＝４０秒へ巻き戻しし、
次に、
２７  ＴＣ＝４０秒〜ＴＣ＝６０秒の２０秒間を大音量で再生
したとすると、実時間で計測する従来のラウドネスメータ３では、図４のような履歴記録を行ない、斜線で示される３つの長方形部分の面積の無音区間を除いた時間平均が、ラウドネス値として算出される。
【００１７】  しかし、このラウドネス値は、ＴＣ＝２０秒〜３０秒の区間と、ＴＣ＝４０秒〜５０秒の２区間で、新しい音量状態と異なる古い音量状態の履歴区間２９、３０が重複しており、この、最終仕上がり番組の音量には本来反映されてはいけない、無効となるべき古い重複区間２９、３０を含めて算出されるので、正確ではない。
【００１８】  これに対して、本発明のタイムコード履歴更新型ラウドネスメータは、図５に示すように、記録する音量履歴の横軸が、作業の実時間（時刻）３１ではなく、タイムコード３２を横軸とし、上記２３〜２７と同じ操作に相当する３４〜３８を行なうと、巻き戻し３５、３７により発生した重複する再生部分の音量履歴について、正常歩進する最新のタイムコード再生部分のみを有効として更新することで、最終のラウドネス値を算出する。
【００１９】  すなわち、図５に示す図の斜線部分のように、無効となるべき古い区間を、新しい有効となるべき区間の音量履歴で上書き更新するので、巻き戻しにより生じた重複区間の古い音量履歴は反映されず消去され、常に最新の重複しない音量履歴に更新される。
【００２０】  よって、図５の斜線で示される部分の面積の無音区間を除いた時間平均が、より正確なラウドネス値として算出される。
【００２１】  番組全体の音量を１．０ｄＢ変化させるとラウドネス値も１．０の変化をするので、図５のような動作をする本発明のタイムコード履歴更新型ラウドネスメータを用いて例えば図６に示すブロック構成によりラウドネス値を計測し、図３に示すフローチャートでＭＡ作業を行なう事により、音量の変化やバランスを保ったまま、完成番組のラウドネス値を、理論上、目標値に一致させることが１回のみでできる。
【００２２】  すなわち、ミキシングによる音量調整作業１５の完了時点で、それまでの作業による番組全体のラウドネス測定値が判かるので、その測定値と目標値の差をオフセット値としてミキシングアンプ４１のマスターフェーダ４４等に反映させることで、その後の音戻し作業１８で完成番組のラウドネス値を、理論上、目標値に一致させることが１回のみでできる。
【００２３】  よって、図３における１９で、許容範囲を逸脱することは、理論上、なくなるので、２０のやり直し作業も、発生しなくなる。
【００２４】  具体例として、例えば、ラウドネスの目標値が−２４ＬＫＦＳ、許容範囲±１、ミキシングによる音量調整作業１５の完了時点でのラウドネス測定値が−２２．６ＬＫＦＳであった場合、ミキシングアンプ４１のマスターフェーダ４４を−１．４ｄＢと設定して音戻し作業１８を行なえば、完成番組のラウドネス値を目標の−２４ＬＫＦＳに仕上げることが、理論上、１回のみで可能である。
【図１】
2013178216.tif 000003
【図２】
2013178216.tif 000004
【図３】
2013178216.tif 000005
【図４】
2013178216.tif 000006
【図５】
2013178216.tif 000007
【図６】
2013178216.tif 000008